(57)【要約】  本発明は、少なくとも１つの照明ユニット（１０）を備えたシート操作ユニット、特に航空機用シート操作ユニットに関している。本発明によれば、設定調整ユニット（１２）が設けられており、該設定調整ユニット（１２）は照明ユニット（１０）の光強度及び／又は光色が電子的に設定調整され得るように設けられている。
2010517851.tif 000002
【特許請求の範囲】
【請求項１】
少なくとも１つの照明ユニット（１０）を備えたシート操作ユニット、特に航空機用シート操作ユニットにおいて、
設定調整ユニット（１２）が設けられており、該設定調整ユニット（１２）は照明ユニット（１０）の光強度及び／又は光色が電子的に設定調整され得るように設けられていることを特徴とするシート操作ユニット。
【請求項２】
前記設定調整ユニット１２は、少なくとも部分的にシート装置（１４）内に統合化され得るように設けられている、請求項１記載のシート操作ユニット。
【請求項３】
前記設定調整ユニット（１２）は、プロセッサユニット（１６）を含んでいる、請求項１記載のシート操作ユニット。
【請求項４】
前記プロセッサユニット（１６）は、少なくとも部分的にシート制御ユニット１８と一体的に構成されている、請求項３記載のシート操作ユニット。
【請求項５】
プロセッサユニット（１６）が、少なくとも１つの設定調整過程が部分的に自動化されて少なくとも１つの特性量に依存して設定され得るように設けられている、請求項１から４いずれか１項記載のシート操作ユニット。
【請求項６】
前記照明ユニット（１０）は、少なくとも１つの発光ダイオード（２０）を有している、請求項１から５いずれか１項記載のシート操作ユニット。
【請求項７】
前記照明ユニット（１０）は、少なくとも１つの発光フィルム（２２）を有している、請求項１記載のシート操作ユニット。
【請求項８】
前記照明ユニット（１０）は、異なるカラーの光が照射され得るように設けられた八校手段を有している、請求項１から７いずれか１項記載のシート操作ユニット。
【請求項９】
異なる光色が複数の光色の混合によって生成され得るように照明ユニット（１２）が設けられている、請求項８記載のシート操作ユニット。
【請求項１０】
請求項１から９のいずれかに記載のシート操作ユニットを有している、シート装置（１４）、特に航空機用シート装置。
【請求項１１】
請求項１から９いずれか１項に記載の照明ユニット（１０）を含んだシート操作ユニットを用いた操作方法において、
前記照明ユニット（１０）の光強度及び／又は光色が電子的に設定されるようにしたことを特徴とする方法。
【発明の詳細な説明】
【技術分野】
【０００１】
本発明は請求項１の上位概念によるシート操作ユニットに関している。
【背景技術】
【０００２】
既に照明ユニットを備えたシート操作ユニットは公知である。
【０００３】
発明の利点
本発明はシート操作ユニット、少なくとも１つの照明ユニットを備えた特に航空機用のシート操作ユニットから出発している。
【０００４】
このシート操作ユニットは調節ユニットを含み、該調節ユニットは照明ユニットの光強度及び／又は光色を電子的に設定するために設けられている。なおここでの"シート操作ユニット"という概念は特に次のようなユニットと理解されたい。すなわち該シート操作ユニットを用いることで、座席に座っている乗員が特に設定調整の入力を行うことができるものである。この場合シート操作ユニットはシート装置に所属する唯１つの入力ユニットを有するか、１つのシート装置に所属する複数の入力ユニットを有するか、複数のシート装置に所属する複数の入力ユニットを有している。
【０００５】
光強度及び／又は光色を電子的に設定調整可能にする"設定調整ユニット"の概念は次のように理解されたい。すなわち特に１つの電気的な及び／又は有利には１つのプロセッサユニットを含み、該プロセッサユニットを用いて特に照明手段の交換なしで、０ではない一定の光強度及び／又は一定の光色を実現可能とするものと理解されたい。さらに本願では"設ける"とは特に特定の装備、設計仕様及び／又はプログラミングと理解されたい。
【０００６】
相応の構成によれば高い融通性が達成でき、具体的には乗客に対して及び／又は特に室内装飾従事者、例えば航空機の客室装飾従事者にとって高い融通性を提供することができる。その際設定調整ユニットは有利には次のために設けられている。すなわち少なくとも個々の設定調整が専門の担当者のみによって執り行えるように設けられている。それによりある一人の乗客による不都合な変更が個別に回避できる。特にこのシート操作ユニットは、僅かなコストでもって、種々異なる周辺条件と様々な顧客ニーズに、例えば航空会社ないしはエアーライン毎のニーズに適応化させることが可能である。さらに大量使用のもとでのデザイン上の観点を有利に考慮することもでき、例えば設定調整ユニットを用いることにより、複数のシート装置に割当てられている複数の照明ユニットを集中的に設定調整することが可能となる。さらに経年変化に起因する明るさの低下も簡単に補償できる。
【０００７】
有利にはこの設定調整ユニットは、少なくともその一部がシート装置に統合されるように設けることもできる。これにより有利で簡単な駆動制御が達成される。この場合の"統合"とは特に当該設定調整ユニットの一部が１つのシート装置、例えば航空機の個々の座席装置と共に１つの組付け単位を形成することである。有利には設定調整ユニットの少なくとも一部が中央にも配置され、それによって複数のシート操作ユニット、たとえば複数のシート列が有利には一緒に駆動制御できるようになる。
【０００８】
本発明のさらに別の実施例によれば、プロセッサユニットが少なくとも部分的にシート制御ユニットと一体的に構成されている。それにより部材コストや重量コスト、設置コスト及び／又は総体的なコストが節約できる。この場合の"プロセッサユニット"とは、特に次のようなユニットと理解されたい。すなわち１つのプロセッサないしは計算ユニットと、作動プログラムが記憶されている１つのメモリユニットを含んでいるユニットである。
【０００９】
さらにシート操作ユニットがプロセッサユニットを有し、該プロセッサユニットは次のように設けられている。すなわち少なくとも１つの設定調整過程が少なくとも部分的に自動化されて少なくとも１つの特性量に依存して設定されるように設けられている。これにより特に快適性が高まる。例えば既存の空間照明に依存して自動的にシート操作ユニットの光色及び／又は光強度が設定される。
【００１０】
この照明ユニットは当業者にとって有利な種々の照明手段を有し得る。特に有利には少なくとも１つの発光ダイオード及び／又は発光フィルムを有し得る。それらは特に省スペース的に統合可能であり、さらに有利には異なる光強度及び／又は光色を得るために駆動制御可能である。ここでの発光フィルムとは本願との関係においては例えば多層に構築されたフィルム、例えば裏側電極によって形成された層と、絶縁体として形成された層と、発光物質によって形成された層と、表側電極によって形成された層を有している多層フィルムと理解されたい。その場合の照明ユニットは一色のカラーを有している発光ダイオードであってもよいし、異なるカラーを有している複数の発光ダイオード及び／又は印加された電圧及び／又は周波数に依存して異なる光色を放射する発光ダイオードであってもよい。
【００１１】
前記照明ユニットが異なるカラーの光を放射する発光手段を有するならば、設計上容易に設定調整が達成できる。また設定調整ユニットは異なる光色の混合、特に細分化した光色の混合によって異なる光色が生成されるように設けられている。その場合少なくとも１つの端部色は異なるカラーを有する少なくとも２つの光源からの光の混合によって生成されるか、及び／又は有利には所定のカラーを有する少なくとも１つの光源から放射された光が少なくとも２つの端部色に対して用いられる。
【図面の簡単な説明】
【００１２】
さらなる利点は以下の詳細な説明から明らかとなる。図面には本発明の実施例が描写されており、これらの図面及び明細書、特許請求の範囲には、多くの特徴部分の組合わせが含まれている。当業者にとってはこれらの特徴は目的に合わせて個別に観察され、有利にはさらなる別の組合わせに統合される。
【図１】シート装置の側面図
【図２】図１によるシート装置のシート操作ユニットとシート制御ユニットを概略的に表した図
【実施例】
【００１３】
図１には航空機のシート装置１４ないしは航空機用シート装置の側面図が示されており、このシート装置はシートハウジング２４と、該シートハウジング２４内で背もたれ２６と図示されていないシート基底部が配設されている。このシート装置はコンソール２８と、該コンソール内に統合され照明ユニット１０を備えているシート操作ユニットを含んでいる。シート操作ユニットを用いることによってシート装置のシート制御ユニット１８を介してシート基底部と背もたれ２６が乗客によって調節可能になる。
【００１４】
このシート操作ユニットは設定調整ユニット１２を有し、該設定調整ユニット１２は、照明ユニット１０の光強度及び光色を電子的に、すなわち照明手段の交換なしで設定するために設けられている（図２参照）。この場合この設定調整ユニット１２は、専ら専門の従事者、すなわち乗客ではない乗員によって操作され得る。
【００１５】
設定調整ユニット１２は、プロセッサユニット１６を含んでおり、該プロセッサユニット１６は部分的にシート制御ユニット１８と一体的に構成されている。詳細にはプロセッサユニット１６とシート制御ユニット１８は共通の計算ユニット３０ないし共通のプロセッサを有している。さらにシート制御ユニット１８と設定調整ユニット１２は共通の電流供給ユニット４０を介して直流電流を供給される。
【００１６】
設定調整ユニット１２はさらにメモリユニット３２を含んでおり、該メモリユニット３２内には作動プログラムが記憶されている。このメモリユニット３２はインターフェース３４を有しており、該インターフェース３４を介して局所的にシート装置１４において作動プログラムが交換可能であり、具体的には、選択された作動プログラムが非活動化され、既にメモリユニット３２内に記憶された作動プログラムが活動化される。代替的に及び／又は付加的に１つの作動プログラムが複数のシート装置に対して集中的にメモリユニット内に配置されてもよいし及び／又はインターフェース４８が設けられて該インターフェースを介して複数のメモリユニットにアクセス可能にされてもよい。それにより複数のシート装置１４、例えば図２に示されているように複数のシート列に対して集中的に作動プログラムが変更可能となる。シート制御ユニット１８は、作動プログラムが記憶されているメモリユニット３６を有し、前記作動プログラムはインターフェース３８を介して集中的に交換可能、すなわち特に複数のシート装置１４に対して同時にかつ集中的に作動プログラムを交換できる。
【００１７】
プロセッサユニット１６はさらに設定調整過程が既存の空間照明に依存して実行されるように設けられている。これについてはプロセッサユニット１６がデータバス４２及びインターフェース４４を介して既存の空間照明に関するデータが供給される。
【００１８】
照明ユニット１０が発光フィルム２２と複数の発光ダイオード２０を有し、これらが種々異なるカラーの光の放射のために設けられている。プロセッサユニット１６を用いて発光フィルム２２と発光ダイオード２０が電子制御コンバータ４６を介して駆動される。
【００１９】
発光フィルム２２は異なる強度と異なるカラーの光が放射されるように設けられている。それに対してプロセッサユニット１６は発光ダイオード２０を用いて異なる光色がそれらの混合によって生成されるように設けられている。
【符号の説明】
【００２０】
１０    照明ユニット
１２    設定調整ユニット
１４    シート装置
１６    プロセッサユニット
１８    シート制御ユニット
２０    発光ダイオード
２２    発光フィルム
２４    シートハウジング
２６    背もたれ
２８    コンソール
３０    計算ユニット
３２    メモリユニット
３４    インターフェース
３６    メモリユニット
３８    インターフェース
４０    電流供給ユニット
４２    データバス
４４    インターフェース
４６    電子制御コンバータ
４８    インターフェース
【図１】
2010517851.tif 000003
【図２】
2010517851.tif 000004
【国際調査報告】
2010517851.tif 000005
2010517851.tif 000006
2010517851.tif 000007
2010517851.tif 000008
2010517851.tif 000009
2010517851.tif 000010